(57)【要約】      （修正有）【課題】パチンコ台を固持するためにパチンコ島に取り付けられるパチンコ台枠の上枠及び下枠を、パチンコ島の上部横木及び下部横木に簡単容易に取り付けることができ、しかもその構造も簡単で部品コストも安価にできるパチンコ台枠取付具を提供する。【解決手段】パチンコ台枠ａの上枠ｂをパチンコ島の上部横木ｄに取り付ける上枠取付具１と、パチンコ台枠ａの下枠ｃをパチンコ島の下部横木ｅに取り付ける下枠取付具２とから構成され、前記上枠取付具１は、取付板とストッパー片とからなる上枠取付基板と、上枠締付け軸と上枠締付け軸受けとからなる上枠締結具とを備え、前記下枠取付具は、上部取付板とストッパー片と下部取付板とからなる下枠取付基板と、下枠締付け軸と下枠締付け軸受けとからなる下枠締結具とを備えた。【選択図】図１
0003163828.tif 000002
【実用新案登録請求の範囲】
【請求項１】
パチンコ台枠の上枠をパチンコ島の上部横木に取り付ける上枠取付具と、パチンコ台枠の下枠をパチンコ島の下部横木に取り付ける下枠取付具とから構成されるパチンコ台枠取付具において、
前記上枠取付具は、パチンコ島の上部横木に直に固定され貫通孔を有する取付板とパチンコ台枠の上枠の後面を支持するストッパー片とからなる上枠取付基板と、先端側及び軸の側周面に螺旋状の雄ネジ山が形成され基端側に軸を回すための摘みを有する上枠締付け軸と上記取付板の貫通孔の周囲に固設され内部に上枠締付け軸が挿通する中空孔を有し内周側面に上枠締付け軸の雄ネジ山と螺合する雌ネジ山が形成された上枠締付け軸受けとからなる上枠締結具とを備え、
前記下枠取付具は、貫通孔を有する上部取付板とパチンコ台枠の下枠の後面を支持するストッパー片とパチンコ島の下部横木に直に固定される下部取付板とからなる下枠取付基板と、軸の側周面に螺旋状の雄ネジ山が形成され基端側に軸を回すための摘みを有する下枠締付け軸と上記上部取付板の貫通孔の周囲に固設され内周側面に下枠締付け軸の雄ネジ山と螺合する雌ネジ山が形成された下枠締付け軸受けとからなる下枠締結具とを備えた、
ことを特徴とするパチンコ台枠取付具。
【考案の詳細な説明】
【技術分野】
【０００１】
この考案は、新規入れ替えでパチンコ台を交換する場合の技術に係り、特に、パチンコ台を固持するためにパチンコ島に取り付けられるパチンコ台枠の上枠及び下枠を、パチンコ島の上部横木及び下部横木に簡単容易に取り付けるパチンコ台枠取付具に関するものである。
【背景技術】
【０００２】
パチンコ台は、パチンコ台が横一列に並べられたパチンコ島に固定して取り付けられているパチンコ台枠に、その後部側が所謂ワンタッチ式の係止機構で簡単に固持される構造になっている。
パチンコ台の後部側を固持するパチンコ台枠は、上枠、下枠、左右の側枠から構成され、これらの各枠が上下に長い長方形の枠状に形成されている。各パチンコ台枠は少し台を傾けた状態で、その上枠及び下枠がパチンコ島の上部横木及び下部横木に釘に固定されている。
パチンコ台枠は各メーカーにより微妙に異なっていて、新規入れ替えでパチンコ台を交換する場合、その後部側のパチンコ島に固定して取り付けられているパチンコ台枠も交換する必要があった。
しかし、前記したように各パチンコ台枠は釘でパチンコ島の上部横木及び下部横木に固定されているため、固定している釘をそれぞれ抜いて取り外す必要があり、非常に面倒であった。
しかも、交換用のパチンコ台枠をパチンコ島に固定する場合も釘で固定する必要があり、さらに、各パチンコ台枠を一定の傾斜角度で取り付ける必要があり、熟練を有する大工でないと取り付け作業は困難である一方で、同じ大工でも取り付け後の各台枠の傾斜角度は台枠毎に微妙に異なり、パチンコ島全体のパチンコ台枠の傾斜角度を均一にすることが困難であり、また、それぞれ傾斜角度を測りながらの取り付け作業のために時間もかかるという不都合があった。
加えて、パチンコ台枠はその都度釘で固定するため、パチンコ島の上部横木及び下部横木に使用されている木には多数の釘穴ができていて釘により傷つき、交換用のパチンコ台枠を釘で固定する場合に、その釘が古い釘穴に入ってパチンコ台枠の傾斜角度が狂うこともあり、また、傷ついたパチンコ島の上部横木及び下部横木を時々交換しなければならないという不都合もあった。
そこで、このような不都合を解消するものとして、例えば実用新案登録第３００８９１１号の『パチンコ台取付け装置およびパチンコ台取付け装置セット』が出願されている。
【先行技術文献】
【特許文献】
【０００３】
【特許文献１】実用新案登録第３００８９１１号
【考案の概要】
【考案が解決しようとする課題】
【０００４】
しかしながら、前記の実用新案登録第３００８９１１号の『パチンコ台取付け装置およびパチンコ台取付け装置セット』にあっては、パチンコ台枠の上枠をパチンコ島の上部横木に固定するパチンコ台上部取付け装置１０Ａ、及びパチンコ台枠の下枠をパチンコ島の下部横木に固定するパチンコ台下部取付け装置１０Ｂの構造がそれぞれ複雑であり、その結果、各装置の部品コストも高くなり安価にするのが困難と考えられる。
【０００５】
この考案は、上記のような課題に鑑み、その課題を解決すべく創案されたものであって、その目的とするところは、パチンコ台を固持するためにパチンコ島に取り付けられるパチンコ台枠の上枠及び下枠を、パチンコ島の上部横木及び下部横木に簡単容易に取り付けることができ、しかもその構造も簡単で部品コストも安価にできるパチンコ台枠取付具を提供することにある。
【課題を解決するための手段】
【０００６】
以上の課題を達成するために、この考案は、パチンコ台枠の上枠をパチンコ島の上部横木に取り付ける上枠取付具と、パチンコ台枠の下枠をパチンコ島の下部横木に取り付ける下枠取付具とから構成されるパチンコ台枠取付具において、前記上枠取付具は、パチンコ島の上部横木に直に固定され貫通孔を有する取付板とパチンコ台枠の上枠の後面を支持するストッパー片とからなる上枠取付基板と、先端側及び軸の側周面に螺旋状の雄ネジ山が形成され基端側に軸を回すための摘みを有する上枠締付け軸と上記取付板の貫通孔の周囲に固設され内部に上枠締付け軸が挿通する中空孔を有し内周側面に上枠締付け軸の雄ネジ山と螺合する雌ネジ山が形成された上枠締付け軸受けとからなる上枠締結具とを備え、前記下枠取付具は、貫通孔を有する上部取付板とパチンコ台枠の下枠の後面を支持するストッパー片とパチンコ島の下部横木に直に固定される下部取付板とからなる下枠取付基板と、軸の側周面に螺旋状の雄ネジ山が形成され基端側に軸を回すための摘みを有する下枠締付け軸と上記上部取付板の貫通孔の周囲に固設され内周側面に下枠締付け軸の雄ネジ山と螺合する雌ネジ山が形成された下枠締付け軸受けとからなる下枠締結具とを備えた手段よりなるものである。
【考案の効果】
【０００７】
課題を解決するための手段よりなるこの考案に係るパチンコ台枠取付具によれば、パチンコ台枠取付具の上枠取付具及び下枠取付具を使用することにより、パチンコ島に対するパチンコ台枠の取り付け及び取り外し作業を簡単に行うことができる。しかもその構造も簡単で部品コストも安価にできると共に、パチンコ台枠の傾斜角度の調整作業も簡単に行うことができ、作業時間の短縮化と効率化を通じて作業コストを大幅に引き下げることが可能となる。
さらに、パチンコ台枠を取り付ける際の釘打ち作業が不要となるため、パチンコ島の上部横木及び下部横木に釘穴の跡ができることがない。このため、従前のように、古い釘穴に新しいパチンコ台枠を取り付け際の釘が誤って入り、パチンコ台枠の傾斜角度が微妙に狂うということもなく、正確な傾斜角度でパチンコ台枠をパチンコ島に取り付けることができる。
また、パチンコ島の上部横木及び下部横木に多数の釘穴の跡ができることがないので、上部横木及び下部横木が多数の釘穴の跡によってその強度が低下することもない等、極めて実用的有益なる効果を奏するものである。
【図面の簡単な説明】
【０００８】
【図１】この考案を実施するための形態を示すパチンコ島の側面図である。
【図２】この考案を実施するための形態を示すパチンコ島の正面図である。
【図３】この考案を実施するための形態を示す上枠取付具の側断面図である。
【図４】この考案を実施するための形態を示す上枠取付具の側面図である。
【図５】この考案を実施するための形態を示す上枠取付具の図である。
【図６】この考案を実施するための形態を示す上枠取付具の平面図である。
【図７】この考案を実施するための形態を示す上枠締付け軸を取り付けてない状態での上枠取付具の平面図である。
【図８】この考案を実施するための形態を示す上枠取付具の底面図である。
【図９】この考案を実施するための形態を示す下枠取付具の側断面図である。
【図１０】この考案を実施するための形態を示す下枠取付具の側面図である。
【図１１】この考案を実施するための形態を示す下枠取付具の図である。
【図１２】この考案を実施するための形態を示す下枠取付具の平面図である。
【図１３】この考案を実施するための形態を示す下枠締付け軸を取り付けてない状態での下枠取付具の平面図である。
【図１４】この考案を実施するための形態を示す下枠取付具の底面図である。
【考案を実施するための形態】
【０００９】
以下、図面に記載の考案を実施するための形態に基づいて、この考案をより具体的に説明する。
【００１０】
図において、パチンコ台枠取付具は、パチンコ台を固持するためにパチンコ島に取り付けられるパチンコ台枠ａの上枠ｂ及び下枠ｃを、パチンコ島の上部横木ｄ及び下部横木ｅに簡単容易に取り付けることができるもので、パチンコ台枠ａの上枠ｂをパチンコ島の上部横木ｄに取り付ける上枠取付具１と、パチンコ台枠ａの下枠ｃをパチンコ島の下部横木ｅに取り付ける下枠取付具２とから構成される。
【００１１】
上枠取付具１は、パチンコ台枠ａの上枠ｂをパチンコ島の上部横木ｄに取り付けるときに使用されるもので、パチンコ島の上部横木ｄの下面に取り付けられて固定される上枠取付基板１ａと、及びパチンコ台枠ａの上枠ｂに一部がねじ込まれて固定される上枠締結具１ｂとから構成される。
【００１２】
上枠取付基板１ａは、上下両面が平坦な取付板１１と、取付板１１の長さ方向の一端から下向きに折曲されて形成されたストッパー片１２とから形成されている。上下両面が平坦な取付板１１にはネジ取付用孔１３が複数穿設されている。また、上下両面が平坦な取付板１１の上面１１ａの中央には貫通孔１１ｃが形成されている。
【００１３】
この貫通孔１１ｃに、後記の上枠締付け軸受け１５の筒柱１５ａの下端が溶接で固設されて取り付けられている。この貫通孔１１ｃは、後記の上枠締付け軸１４の先端側１４ａが自由に貫通する孔で、このため、この貫通孔１１ｃの直径は後記の上枠締付け軸１４の軸径より少し大きく穿設されている。
【００１４】
上下両面が平坦な取付板１１はその上面１１ａがパチンコ島の上部横木ｄの下面に密着して取り付けられる。上枠取付板１１の下面１１ｂはパチンコ台枠ａの上枠ｂの上面に当接する。取付板１１は平面からみて長方形の形状を有している。取付板１１はパチンコ島の上部横木ｄとその下側のパチンコ台枠ａの上枠ｂとの隙間に取り付けられるため、平坦な取付板１１の厚みは例えば３ｍｍ前後である。
【００１５】
上下両面が平坦な取付板１１はネジによってパチンコ島の上部横木ｄに取り付けられて固着される。ネジが取付板１１に穿設された各ネジ取付用孔１３を挿通して取付板１１の下面１１ｂから上側に向けて上枠ｂに螺入されて締め付けられることで、取付板１１は上部横木ｄの下面に取り付けられる。このため、ネジの頭が取付板１１の下面１１ｂから突出しないように、ネジには頭部が平らな皿型になっている例えばビスネジが使用される。
【００１６】
ビスネジは頭部が平らな皿型になっているので、ネジ取付用孔１３は上枠ｂの下面に接する取付板１１の上面１１ａの側の直径がビスネジが挿入される下面１１ｂの側より小さく、叉孔１３は上面１１ａに向かってその側周面は縮小傾斜している。ビスネジの頭部は締め付け時には取付板１１の下面１１ｂより下側に突出せず、ビスネジの頭部がパチンコ台枠ａの上枠ｂの上面に当たるのが防がれている。
【００１７】
ストッパー片１２は、パチンコ島の上部横木ｄに取り付け時に取付板１１の後端となるその端から下向きに直角に折曲されて形成されている。ストッパー片１２は直角の内側となるその内側面１２ａがパチンコ台枠ａの上枠ｂの後面に当接して、パチンコ台枠ａの上枠ｂ側の後方側への傾きを阻止する。ストッパー片１２は、パチンコ台枠ａの上枠ｂ側の傾きを阻止できれば十分であるので、下向き側への突出長さは僅かで良く取付板１１の長さの半分以下の長さになっている。
【００１８】
上枠締結具１ｂは、パチンコ島の上部横木ｄにビスネジで固定された上枠取付基板１ａにパチンコ台枠ａの上枠ｂを固定させるもので、パチンコ台枠ａの上枠ｂにその先端側がねじ込まれる上枠締付け軸１４と、上枠取付基板１ａの取付板１１の中央に設けられた上枠締付け軸受け１５とから構成される。
【００１９】
上枠締付け軸１４は、上枠締付け軸受け１５の上端から挿入螺合しながら螺子運動により下向きに移動して、その先端側１４ａがパチンコ台枠ａの上枠ｂの上面からその内部にねじ込まれて、パチンコ台枠ａの上枠ｂを上枠取付具１を介してパチンコ島の上部横木ｄに固定する。このため、上枠締付け軸１４の先端側１４ａは尖っていて、叉ねじ込まれるように軸の側周面には螺旋状のネジ山１４ｂが刻設されている。
【００２０】
先端の反対側となる上枠締付け軸１４の基端側には、この軸を回転させるための摘み１４ｃが設けられている。摘み１４ｃは棒状の軸を例えば円形状に曲げて形成されている。上枠締付け軸１４の摘み１４ｃは上枠締付け軸受け１５に螺合時には上部側となり、この摘み１４ｃを手で掴んで例えば右回りに回すことで、上枠締付け軸１４の先端側１４ａをパチンコ台枠ａの上枠ｂにくい込ませ、逆向きに回すことでくい込みを解除させることができる。
【００２１】
上枠締付け軸受け１５は、上枠締付け軸１４を螺合して上枠取付基板１ａに支持するもので、中空孔を有しその一部に、上枠締付け軸１４の側周面のネジ山１４ｂと螺合するネジ山がその内周側面に形成されている。上枠締付け軸受け１５は、例えば中空孔を有する筒柱１５ａと該筒柱１５ａの上端に溶接により固設されたナット１５ｂから構成される。
【００２２】
上枠締付け軸受け１５は上枠取付基板１ａの取付板１１の上面１１ａの中央に形成された前記貫通孔１１ｃの上に上向きに取り付けられる。上枠締付け軸受け１５の長さは上部横木ｄの厚みとほぼ同じである。この上枠締付け軸受け１５は上枠取付具１の上部横木ｄへの取り付け時には上部横木ｄに上下方向に穿孔された孔ｄ１に挿入される。
【００２３】
筒柱１５ａは例えば円筒形からなり、その内部には上枠締付け軸受け１５の軸径より少し大きい直径の中空孔１５ｃが形成されている。この中空孔１５ｃ内を上枠締付け軸１４は自由に移動できる状態で挿通している。筒柱１５ａの下端は前記取付板１１の上面１１ａの中央の貫通孔１１ｃの外周に溶接で固着されている。筒柱１５ａは前記上枠取付基板１ａの取付板１１の上面１１ａに垂直な上向きに取り付けられている。
【００２４】
筒柱１５ａの上端にはナット１５ｂが溶接により固着されている。ナット１５ｂは上枠締付け軸１４が螺合するもので、螺合した上枠締付け軸１４はネジ運動により上下方向に移動する。このため、ナット１５ｂの内周側面には、上枠締付け軸１４の側周面に形成されたネジ山１４ｂと螺合するネジ山が形成されている。
【００２５】
下枠取付具２は、パチンコ台枠ａの下枠ｃをパチンコ島の下部横木ｅに取り付けるときに使用されるもので、パチンコ島の下部横木ｅの下面に取り付けられて固定される下枠取付基板２ａと、及びパチンコ台枠ａの下枠ｃを押圧して固定される下枠締結具２ｂとから構成される。
【００２６】
下枠取付基板２ａは、上下両面が平坦な上部取付板２１と、上部取付板２１の長さ方向の一端から下向きに折曲されて形成されたストッパー片２２と、ストッパー片２２の下端から後方向きに折曲されて上記上部取付板２１に平行に形成された下部取付板２３とから構成されている。この下部取付板２３は上部取付板２１と同じように上下両面が平坦に形成されている。
【００２７】
上下両面が平坦な上部取付板２１の上面２１ａの中央には貫通孔２１ｃが形成されている。上部取付板２１の貫通孔２１ｃには、後記の下枠締付け軸受け２５のナット２５ａの下端が溶接で固設されて取り付けられている。この貫通孔２１ｃは、後記の下枠締付け軸２４の先端側２４ａが自由に貫通する孔で、このため、この貫通孔２１ｃの直径は後記の下枠締付け軸２４の軸径より少し大きく穿設されている。
【００２８】
上下両面が平坦な上部取付板２１はその下面２１ｂがパチンコ島の下枠ｃの上面側に取り付けられる。上枠取付板２１の上面２１ａはパチンコ台枠ａの下枠ｃの下方側に位置する。上部取付板２１は平面からみて方形の形状を有している。
【００２９】
ストッパー片２２は、パチンコ島の下部横木ｅに取り付け時に上部取付板２１の後端となるその端から下向きに直角に折曲されて形成されている。またストッパー片２２の下端から水平向きに直角に折曲された下部取付板２３が形成されている。ストッパー片２２は下向きに折曲された直角の内側となるその内側面２２ａがパチンコ台枠ａの下枠ｂの後面に当接して、パチンコ台枠ａの下枠ｃ側の後方側への傾きを阻止する。ストッパー片２２は、その下端に水平向きに直角に折曲された下部取付板２３が形成され、この下部取付板２３がパチンコ島の下部横木ｅの上面に取り付けられる関係で、上下方向の長さはパチンコ台枠ａの下枠ｃの厚みよりも大きくなっている。
【００３０】
上下両面が平坦な下部取付板２３はその下面２３ｂがパチンコ島の下部横木ｅの上面に取り付けられる。この下部取付板２３にはネジ取付用孔２３ｃが複数穿設されている。下部取付板２３は平面からみて方形の形状を有している。上下両面が平坦な下部取付板２３はネジによってパチンコ島の下部横木ｅに取り付けられて固着される。ネジがネジ取付用孔２３ｃに挿通されて下部取付板２３の上面２３ａから下側のパチンコ島の下部横木ｅに向けて螺入されて締め付けられることで、下部取付板２３は下部横木ｅの上面に取り付けられる。
【００３１】
下枠締結具２ｂは、パチンコ島の下部横木ｅにネジで固定された下枠取付基板２ａにパチンコ台枠ａの下枠ｃを固定させるもので、パチンコ台枠ａの下枠ｃの表面にその先端側が押し付けられる下枠締付け軸２４と、下枠取付基板２ａの上部取付板２１の中央に設けられた下枠締付け軸受け２５とから構成される。
【００３２】
下枠締付け軸２４は、下枠締付け軸受け２５の上端から挿入螺合しながら螺子運動により下向きに移動して、その先端２４ａがパチンコ台枠ａの下枠ｃの上面に当接して押し付けられて、パチンコ台枠ａの下枠ｃを下枠取付具２を介してパチンコ島の下部横木ｅに固定する。このため、下枠締付け軸２４の先端２４ａは平坦になっていて、叉螺子運動により上下に移動できるように軸の側周面には螺旋状のネジ山２４ｂが刻設されている。
【００３３】
先端２４ａの反対側となる下枠締付け軸２４の基端側には、この軸を回転させるための摘み２４ｃが設けられている。摘み２４ｃは例えば棒状の軸を円形状に曲げて形成されている。下枠締付け軸２４の摘み２４ｃは下枠締付け軸受け２５に螺合時には上部側となり、この摘み２４ｃを手で掴んで例えば右回りに回すことで、下枠締付け軸２４の先端２４ａをパチンコ台枠ａの下枠ｃに押し付けて固定させ、逆向きに回すことで押し付けを解除させることができる。
【００３４】
下枠締付け軸受け２５は、下枠締付け軸２４を螺合して下枠取付基板２ａに支持するもので、下枠締付け軸２４の側周面のネジ山２４ｂと螺合するネジ山がその内周側面に形成されている。下枠締付け軸受け２５は例えばナット２５ａから構成される。
【００３５】
下枠締付け軸受け２５は、下枠取付基板２ａの下部取付板２３の上面２３ａの中央に形成された前記貫通孔２１ｃの上に上向きに取り付けられる。下枠締付け軸受け２５を構成するナット２５ａの下端は下部取付板２３の上面２３ａの中央の貫通孔２１ｃの外周に溶接で固着されている。下枠締付け軸受け２５を構成するナット２５ａは、下枠取付基板２ａの下部取付板２３の上面２３ａに垂直な上向きに取り付けられている。
【００３６】
次に、上記考案を実施するための形態の構成に基づく作業方法について以下説明する。
パチンコ台枠ａを新規に取り付ける場合には、先ず、パチンコ島の上部横木ｄの上枠取付具１の取り付け箇所に孔ｄ１をあける。孔ｄ１の位置はパチンコ台枠ａの１基につき２箇所で、中央を挟んで左右対称位置にあける。孔ｄ１は上下向きにあける。孔ｄ１は、上枠締付け軸受け１５の筒柱１５ａがスムーズに入る大きさである。筒柱１５ａは円筒形であるので、孔ｄ１は断面円形にあけられる。筒柱１５ａの直径が１３ｍｍ前後であるので、あけられる孔ｄ１の直径は例えば１６〜１８ｍｍ前後である。
【００３７】
パチンコ島の上部横木ｄの２箇所に孔ｄ１をあけた後、上枠取付基板１ａを構成する取付板１１の上面１１ａに固設された上枠締付け軸受け１５の筒柱１５ａ及びナット１５ｂを下側から各孔ｄ１に挿入する。このとき、ナット１５ｂに螺合していた上枠締付け軸１４を取り外しておく。これは上枠締付け軸１４の摘み１４ｃが孔ｄ１の直径より大きいためである。
【００３８】
上枠締付け軸受け１５の筒柱１５ａ及びナット１５ｂを下側から孔ｄ１に挿入した後、上枠取付基板１ａを上向きに押し上げて取付板１１の上面１１ａをパチンコ島の上部横木ｄの下面に当接させる。それから、取付板１１に形成された各ネジ取付用孔１３にビスネジを下から上向きにねじ込んで取り付ける。
【００３９】
このビスネジによって、上枠取付基板１ａの取付板１１はパチンコ島の上部横木ｄの下面に密着した状態で固定される。使用されるビスネジは頭部が皿状になっていて、また、ネジ取付用孔１３は皿ネジ用の孔になっているので、ビスネジの頭部は取付板１１の下面１１ｂから下側に突出することはなく、ネジ取付用孔１３の内部に隠れる。
【００４０】
上枠取付具１をパチンコ島の上部横木ｄの下面に取り付けた後、上枠締付け軸１４の先端側１４ａを上部横木ｄの孔ｄ１の上側から上枠締付け軸受け１５のナット１５ｂに螺合し、上枠締付け軸１４の基端側の摘み１４ｃを回しながら、その先端側１４ａを筒柱１５ａの内部の中空孔１５ｃを下向きに移動させる。そして上枠締付け軸１４の先端側１４ａが取付板１１の貫通孔１１ｃから下側に突出しない位置で摘み１４ｃを回すのを止めて、先端側１４ａの降下を一旦停止する。
【００４１】
このようにして上枠取付具１を取り付けた後、パチンコ台枠ａをパチンコ島の上部横木ｄと下部横木ｅとの間に嵌め込みながら、パチンコ台枠ａの傾きを調整する一方で、パチンコ台枠ａの下枠ｃに下枠取付具２を取り付ける。このとき、パチンコ台枠ａの上枠ｂの後面は上枠取付基板１ａのストッパー片１２に当接して、それ以上後方に傾くのが阻止される。同様に、パチンコ台枠ａの下枠ｃの後面は下枠取付基板２ａのストッパー片２２に当接して、それ以上後方に傾くのが阻止される。
【００４２】
そして、パチンコ台枠ａを所定の傾斜角度に調整した後、下枠取付具２の下枠取付基板２ａをパチンコ島の下部横木ｅに取り付け、下枠取付基板２ａを構成する下部取付板２３のネジ取付用孔２３ｃにビスネジを上側からねじ込んで、下枠取付基板２ａをパチンコ島の下部横木ｅに固定する。
【００４３】
その後、下枠締付け軸２４の先端２４ａを上側から下枠締付け軸受け２５のナット２５ａに螺合し、下枠締付け軸２４の基端側の摘み２４ｃを回しながら、その先端２４ａを上部取付板２１の貫通孔２１ｃを貫通させてその下方に突出させる。上部取付板２１の下面２１ｂから突出した下枠締付け軸２４の先端２４ａは、パチンコ台枠ａの下枠ｃの上面に当接してその表面を押圧する。これにより、パチンコ台枠ａの下枠ｃは固定される。
【００４４】
これと相前後して、途中で停止させていた上枠締付け軸１４の基端側の摘み１４ｃを再び回しながら、その先端側１４ａを取付板１１の貫通孔１１ｃを貫通させてその下方に突出させる。取付板１１の下面１１ｂから突出した上枠締付け軸１４の先端側１４ａの側周面には、螺旋状のネジ山が形成されているので、上枠締付け軸１４の先端側１４ａはパチンコ台枠ａの上枠ｂの上面からその内部に一部くい込む。これにより、パチンコ台枠ａの上枠ｂは固定される。
【００４５】
このようにして、パチンコ台枠ａは、パチンコ島の上部横木ｄと下部横木ｅに上枠取付具１及び下枠取付具２によって、所定の傾斜角度を有した状態で、簡単に取り付けられて固定される。これらの作業が完了した後、パチンコ台枠ａに図示しないパチンコ台を装着する。このとき、パチンコ台枠ａの傾斜角度の調整は既に済んでいるので、煩わしい傾斜角度の調整作業を不要にすることができる。
【００４６】
古いパチンコ台枠ａを交換する場合には、先ず、パチンコ台を取り外した後、下枠取付具２の下枠締付け軸２４の基端側の摘み２４ｃを手で掴んで逆向きに回して弛める。これで、パチンコ台枠ａの下枠ｃとパチンコ島の下部横木ｅとの固定状態が解除される。同様に、上枠取付具１の上枠締付け軸１４の基端側の摘み１４ｃを手で掴んで逆向きに回して弛める。これで、パチンコ台枠ａの上枠ｂとパチンコ島の上部横木ｄとの固定状態が解除される。
【００４７】
古いパチンコ台枠ａはその上下の固定状態が解除されることで、パチンコ島の上部横木ｄと下部横木ｅの間から簡単に取り外すことができる。古いパチンコ台枠ａを取り外し後、新しいパチンコ台枠ａをその箇所に取り付け、下枠取付具２の下枠締付け軸２４の摘み２４ｃ及び上枠取付具１の上枠締付け軸１４の摘み１４ｃをそれぞれ手で掴んで回すことで、新しいパチンコ台枠ａを所定の傾斜角度を有する状態でパチンコ島に簡単に固定させることができる。
【００４８】
なお、この考案は上記考案を実施するための形態に限定されるものではなく、この考案の精神を逸脱しない範囲で種々の改変をなし得ることは勿論である。
【符号の説明】
【００４９】
１    上枠取付具
１ａ  上枠取付基板
１ｂ  上枠締結具
１１    取付板
１１ａ  上面
１１ｂ  下面
１１ｃ  貫通孔
１２    ストッパー片
１２ａ  内側面
１３    ネジ取付用孔
１４    上枠締付け軸
１４ａ  先端側
１４ｂ  ネジ山
１４ｃ  摘み
１５    上枠締付け軸受け
１５ａ  筒柱
１５ｂ  ナット
１５ｃ  中空孔
２    下枠取付具
２ａ  下枠取付基板
２ｂ  下枠締結具
２１    上部取付板
２１ａ  上面
２１ｂ  下面
２１ｃ  貫通孔
２２    ストッパー片
２２ａ  内側面
２３    下部取付板
２３ａ  上面
２３ｂ  下面
２３ｃ  ネジ取付用孔
２４    下枠締付け軸
２４ａ  先端
２４ｂ  ネジ山
２４ｃ  摘み
２５    下枠締付け軸受け
２５ａ  ナット
ａ    パチンコ台枠
ｂ    上枠
ｃ    下枠
ｄ    上部横木
ｄ１  孔
ｅ    下部横木
【図１】
0003163828.tif 000003
【図２】
0003163828.tif 000004
【図３】
0003163828.tif 000005
【図４】
0003163828.tif 000006
【図５】
0003163828.tif 000007
【図６】
0003163828.tif 000008
【図７】
0003163828.tif 000009
【図８】
0003163828.tif 000010
【図９】
0003163828.tif 000011
【図１０】
0003163828.tif 000012
【図１１】
0003163828.tif 000013
【図１２】
0003163828.tif 000014
【図１３】
0003163828.tif 000015
【図１４】
0003163828.tif 000016